(57)【特許請求の範囲】
【請求項１】
パルプ繊維を含有する紙料液（Ｓ）がバット（２）内に供給され、このバット（２）内において水平軸の円網シリンダ（１）が浸水状態で回転自在に枢支されている一方、この円網シリンダ（１）が紙料液（Ｓ）の流動方向に逆行して回転する逆流型円網抄紙機であって、
前記円網シリンダ（１）の外周面には周方向の全周に亙り網目部（11・11…）およびマスキング部（12・12…）とが所定間隔で交互に形成されている一方、
前記バット（２）内における円網シリンダ（１）の下流側がオーバーフロー堰（22）によって仕切られており、かつ、このオーバーフロー堰（22）から溢流した紙料液（Ｓ）が回収される排水槽（21）が配設されており、
バット（２）の側方部には、前記円網シリンダ（１）において網目部（11・11…）を通過した液体が流れる流路（23）が形成され、この流路（23）には、所定水位以上の水をバット（２）外にオーバーフローさせる排水堰（23ａ）が設けられており、
前記バット（２）の排水槽（21）の溜水を排出して円網シリンダ（１）の上流側に送水する循環ポンプ（４）と、流路（23）からの水を排出して円網シリンダ（１）の上流側に送水する押し水ポンプ（５）とを備えて構成された装置を用いて、
漉き始めとして、円網シリンダ（１）を回転したままで、前記流路（23）の排水堰（23ａ）を閉めて、循環ポンプ（４）のみを作動してバット（２）内に充分な濃度の紙料液（Ｓ）を行き渡らせて、
次いで、バット（２）内における紙料液（Ｓ）を循環ポンプ（４）の作動のみで循環せしめることによって、円網シリンダ（１）を空転させた後、
円網シリンダ（１）の回転速度を低速にして、排水堰（23ａ）を開くことによって、円網シリンダ（１）の内外に水圧差を生じさせ、
バット（２）内において充満させた紙料液（Ｓ）のパルプ繊維を円網シリンダ（１）の網目部（11）の表面全体に瞬時に吸着させて堆積させて、隣り合う網目部（11）同士が繋がる程度の充分な厚さに抄紙して、円網シリンダ（１）の表面全体がパルプ繊維で覆い隠されて、マスキング部（12）表面が相対的に薄い透かし入りのような幅方向に一体になった部分を成形し、
前記一体部分の漉き上がった紙をクーチロール（Ｃ）により順次引き取り始める一方、円網シリンダ（１）の回転速度を上昇させることによって生じるバット（２）内における逆流抵抗によって、徐々にブラインド部（12）の表面のパルプ繊維を洗い流して消失させ、網目部（11）のみに細幅テープ状の紙を抄造することができ、
然る後、複数に並列して成形したテープ状の紙体列を円網シリンダ（１）の上部において当該円網シリンダ（１）の回転に同期して搬送するクーチロール（Ｃ）に引き取って、ロール（Ｒ）に順次巻き取ることを特徴とする細幅紙テープ製造方法。
【請求項２】
パルプ繊維を含有する紙料液（Ｓ）がバット（２）内に供給され、このバット（２）内において水平軸の円網シリンダ（１）が浸水状態で回転自在に枢支されている一方、この円網シリンダ（１）が紙料液（Ｓ）の流動方向に逆行して回転する逆流型円網抄紙機であって、
前記円網シリンダ（１）の外周面には周方向の全周に亙り網目部（11・11…）およびマスキング部（12・12…）とが所定間隔で交互に形成されている一方、
前記バット（２）内における円網シリンダ（１）の下流側がオーバーフロー堰（22）によって仕切られており、かつ、このオーバーフロー堰（22）から溢流した紙料液（Ｓ）が回収される排水槽（21）が配設されており、
バット（２）の側方部には、前記円網シリンダ（１）において網目部（11・11…）を通過した液体が流れる流路（23）が形成され、この流路（23）は前記排水槽（21）に連通しており、流路（23）の下流縁部には、所定水位以上の水をバット（２）外にオーバーフローさせる排水堰（23ａ）が設けられ、かつ、この排水堰（23ａ）の開口部を開閉可能な開閉扉（23ｂ）が設けられているとともに、これら流路（23）と排水槽（21）との間には、昇降により開閉自在な遮蔽板（３）が配設されており、
前記バット（２）の排水槽（21）の溜水を排出して円網シリンダ（１）の上流側に送水する循環ポンプ（４）と、流路（23）からの水を排出して円網シリンダ（１）の上流側に送水する押し水ポンプ（５）とを備えて構成された装置を用いて、
漉き始めとして、円網シリンダ（１）を回転したままで、遮蔽板（３）を下降せしめて、前記流路（23）と排水槽（21）との間の流水を遮断し、排水堰（23ａ）の開閉扉（23ｂ）を閉めて、循環ポンプ（４）のみを作動してバット（２）内に充分な濃度の紙料液（Ｓ）を行き渡らせ、
次いで、バット（２）内における紙料液（Ｓ）を循環ポンプ（４）の作動のみで循環せしめることによって、円網シリンダ（１）を空転させた後、
円網シリンダ（１）の回転速度を低速にして、遮蔽板（３）を上昇せしめて、この遮蔽板（３）の下部に形成される開口部分（３Ａ）において、前記流路（23）から排水槽（21）に水を流入させて、かつ、押し水ポンプ（５）を作動するとともに、排水堰（23ａ）の開閉扉（23ｂ）を開くことによって、円網シリンダ（１）の内外に水圧差を生じさせ、
バット（２）内において充満させた紙料液（Ｓ）のパルプ繊維を円網シリンダ（１）の網目部（11）の表面全体に瞬時に吸着させて堆積させて、隣り合う網目部（11）同士が繋がる程度の充分な厚さに抄紙して、円網シリンダ（１）の表面全体がパルプ繊維で覆い隠されて、マスキング部（12）表面が相対的に薄い透かし入りのような幅方向に一体になった部分を成形し、
前記一体部分の漉き上がった紙をクーチロール（Ｃ）により順次引き取り始める一方、円網シリンダ（１）の回転速度を上昇させることによって生じるバット（２）内における逆流抵抗によって、徐々にブラインド部（12）の表面のパルプ繊維を洗い流して消失させ、網目部（11）のみに細幅テープ状の紙を抄造することができ、
然る後、複数に並列して成形したテープ状の紙体列を円網シリンダ（１）の上部において当該円網シリンダ（１）の回転に同期して搬送するクーチロール（Ｃ）に引き取って、ロール（Ｒ）に順次巻き取ることを特徴とする細幅紙テープ製造方法。
【請求項３】
遮蔽板（３）を下降せしめて、前記流路（23）と排水槽（21）との間の流水を遮断して、循環ポンプ（４）および押し水ポンプ（５）を停止することによって、バット（２）内の水圧差を無くして円網シリンダ（１）を空転させ、網目部（11・11…）における抄紙を停止させることによって、抄造を一時中断できることを特徴とする請求項２記載の細幅紙テープ製造方法。
【請求項４】
円網シリンダ（１）の内側に真空吸引装置を設けて、この真空吸引装置によって円網シリンダ（１）の内側の水分を真空吸引することにより、前記紙料液（Ｓ）中のパルプ繊維を円網シリンダ（１）の外周面の網目部（11・11…）に引き寄せることを特徴とする請求項１〜３の何れか一つに記載の細幅紙テープ製造方法。
【請求項５】
クーチロール（Ｃ）に引き取られた紙体列を、リード紙（Ｌ）を間に介装しつつロール（Ｒ）に巻き取ることを特徴とする請求項１〜４の何れか一つに記載の細幅紙テープ製造方法。
【請求項６】
パルプ繊維を含有する紙料液（Ｓ）がバット（２）内に供給され、このバット（２）内において水平軸の円網シリンダ（１）が浸水状態で回転自在に枢支されている一方、この円網シリンダ（１）が紙料液（Ｓ）の流動方向に逆行して回転する逆流型円網抄紙機であって、
前記円網シリンダ（１）の外周面には周方向の全周に亙り網目部（11・11…）およびマスキング部（12・12…）とが所定間隔で交互に形成されている一方、
前記バット（２）内における円網シリンダ（１）の下流側がオーバーフロー堰（22）によって仕切られており、かつ、このオーバーフロー堰（22）から溢流した紙料液（Ｓ）が回収される排水槽（21）が配設されており、
バット（２）の側方部には、前記円網シリンダ（１）において網目部（11・11…）を通過した液体が流れる流路（23）が形成され、この流路（23）には、所定水位以上の水をバット（２）外にオーバーフローさせる排水堰（23ａ）が設けられており、
前記バット（２）の排水槽（21）の溜水を排出して円網シリンダ（１）の上流側に送水する循環ポンプ（４）と、流路（23）からの水を排出して円網シリンダ（１）の上流側に送水する押し水ポンプ（５）とを備えて構成されていることを特徴とする細幅紙テープ製造装置。
【請求項７】
パルプ繊維を含有する紙料液（Ｓ）がバット（２）内に供給され、このバット（２）内において水平軸の円網シリンダ（１）が浸水状態で回転自在に枢支されている一方、この円網シリンダ（１）が紙料液（Ｓ）の流動方向に逆行して回転する逆流型円網抄紙機であって、
前記円網シリンダ（１）の外周面には周方向の全周に亙り網目部（11・11…）およびマスキング部（12・12…）とが所定間隔で交互に形成されている一方、
前記バット（２）内における円網シリンダ（１）の下流側がオーバーフロー堰（22）によって仕切られており、かつ、このオーバーフロー堰（22）から溢流した紙料液（Ｓ）が回収される排水槽（21）が配設されており、
バット（２）の側方部には、前記円網シリンダ（１）において網目部（11・11…）を通過した液体が流れる流路（23）が形成され、この流路（23）は前記排水槽（21）に連通しており、流路（23）の下流縁部には、所定水位以上の水をバット（２）外にオーバーフローさせる排水堰（23ａ）が設けられ、かつ、この排水堰（23ａ）の開口部を開閉可能な開閉扉（23ｂ）が設けられているとともに、これら流路（23）と排水槽（21）との間には、昇降により開閉自在な遮蔽板（３）が配設されており、
前記バット（２）の排水槽（21）の溜水を排出して円網シリンダ（１）の上流側に送水する循環ポンプ（４）と、流路（23）からの水を排出して円網シリンダ（１）の上流側に送水する押し水ポンプ（５）とを備えて構成されていることを特徴とする細幅紙テープ製造装置。
【請求項８】
遮蔽板（３）が複数に分割されて設けられており、それぞれ個別に昇降して開口部分（３Ａ）の面積を増減して通過する流量を調節可能であることを特徴とする請求項６または７記載の細幅紙テープ製造装置。
【請求項９】
円網シリンダ（１）が水面上に上がってくる部分に向けて高圧水を注ぐことが可能なシャワー（24Ａ）が設けられていることを特徴とする請求項６〜８の何れか一つに記載の細幅紙テープ製造装置。
【請求項１０】
円網シリンダ（１）の内側に真空吸引装置が設けられており、この真空吸引装置によって円網シリンダ（１）の内側の水分を真空吸引することにより、前記紙料液（Ｓ）中のパルプ繊維が円網シリンダ（１）の外周面の網目部（11・11…）に引き寄せることができることを特徴とする請求項６〜９の何れか一つに記載の細幅紙テープ製造装置。
【請求項１１】
クーチロール（Ｃ）に引き取られた紙体列が、リード紙（Ｌ）が間に介装されつつロール（Ｒ）に巻き取ることができることを特徴とする請求項６〜１０の何れか一つに記載の細幅紙テープ製造装置。
【発明の詳細な説明】
【技術分野】
【０００１】
本発明は、細幅紙テープの製造技術の改良、更に詳しくは、漉き上がってくる並列した複数の細幅紙テープがばらけないように搬送および巻き取ることができ、しかも、抄紙機全体を停止することがなく、円網シリンダを空転させたままで抄紙作業を一時中断することもできる細幅紙テープ製造方法およびそれに用いる紙テープ製造装置に関するものである。
【背景技術】
【０００２】
周知のとおり、紙製品を大量生産するために抄紙機が用いられており、特に、バットの中にパルプ繊維を含む紙料液を満たして、このバット内に半分程を浸水させた円筒状の円網を連続回転させて抄紙することができる円網抄紙機が多く使用されている。
【０００３】
従来、かかる円網抄紙機を用いて製造する紙の形状として、細幅テープ状のもの（紙テープ）を製造する方法が開示されている（例えば、特許文献１参照）。
【０００４】
しかしながら、テープ状の紙を製造するためには、まず初めに大きな幅の紙を抄紙した後、テープ状にするためのスリッターを用いて切断する必要があり、部品コストがかかるし、製造精度も求められるという問題があった。
【０００５】
また、円網の一部が周方向に沿って縞状にマスキング（遮蔽）され、ワイヤ露出部のみで抄造することによって細幅の紙テープを製造する方法が開示されているが（例えば、特許文献２参照）、このような円網を用いて、細幅の紙テープを製造する場合、複数に並列した状態の紙テープが漉き上がってくるため、漉き上がった製品をクーチロールで搬送したり、ロールに巻き取っていく際に、これら複数の紙テープが方々にばらけてしまい、うまく搬送や巻き取りができないという問題があった。
【０００６】
更にまた、円網抄紙機は自動的かつ連続的に紙が成形されてくるため、作製した紙テープを巻き取ったロールを交換する場合などに抄紙作業を一時停止したい時には、円網シリンダの回転を停止させるか、あるいはクーチロール等の搬送装置の接触を解除することによって、巻き取り装置への搬送を中断させていたが、再始動の際に通常時に戻すためにはマシンセッティングをやり直さなければならないという不便があった。
【先行技術文献】
【特許文献】
【０００７】
【特許文献１】特開平７−４２０９８号公報
【特許文献２】特開２００３−２０５８９号公報
【発明の概要】
【発明が解決しようとする課題】
【０００８】
本発明は、従来の細幅紙テープの製造技術において、上記のような問題があったことに鑑みて為されたものであり、その目的とするところは、漉き上がってくる並列した複数の細幅紙テープがばらけないように搬送および巻き取ることができ、しかも、抄紙機全体を停止することがなく、円網シリンダを空転させたままで抄紙作業を一時中断することもできる細幅紙テープ製造方法およびそれに用いる紙テープ製造装置を提供することにある。
【課題を解決するための手段】
【０００９】
本発明者が上記技術的課題を解決するために採用した手段を、添付図面を参照して説明すれば、次のとおりである。
【００１０】
即ち、本発明は、パルプ繊維を含有する紙料液Ｓがバット２内に供給され、このバット２内において水平軸の円網シリンダ１が浸水状態で回転自在に枢支されている一方、この円網シリンダ１が紙料液Ｓの流動方向に逆行して回転する逆流型円網抄紙機であって、
前記円網シリンダ１の外周面には周方向の全周に亙り網目部11・11…およびマスキング部12・12…とが所定間隔で交互に形成されている一方、
前記バット２内における円網シリンダ１の下流側がオーバーフロー堰22によって仕切られており、かつ、このオーバーフロー堰22から溢流した紙料液Ｓが回収される排水槽21が配設されており、
バット２の側方部には、前記円網シリンダ１において網目部11・11…を通過した液体が流れる流路23が形成され、この流路23には、所定水位以上の水をバット２外にオーバーフローさせる排水堰23ａが設けられており、
前記バット２の排水槽21の溜水を排出して円網シリンダ１の上流側に送水する循環ポンプ４と、流路23からの水を排出して円網シリンダ１の上流側に送水する押し水ポンプ５とを備えて構成された装置を用いて、
漉き始めとして、円網シリンダ１を回転したままで、前記流路23の排水堰23ａを閉めて、循環ポンプ４のみを作動してバット２内に充分な濃度の紙料液Ｓを行き渡らせて、
次いで、バット２内における紙料液Ｓを循環ポンプ４の作動のみで循環せしめることによって、円網シリンダ１を空転させた後、
円網シリンダ１の回転速度を低速にして、排水堰23ａを開くことによって、円網シリンダ１の内外に水圧差を生じさせ、
バット２内において充満させた紙料液Ｓのパルプ繊維を円網シリンダ１の網目部11の表面全体に瞬時に吸着させて堆積させて、隣り合う網目部11同士が繋がる程度の充分な厚さに抄紙して、円網シリンダ１の表面全体がパルプ繊維で覆い隠されて、マスキング部12表面が相対的に薄い透かし入りのような幅方向に一体になった部分を成形し、
前記一体部分の漉き上がった紙をクーチロールＣにより順次引き取り始める一方、円網シリンダ１の回転速度を上昇させることによって生じるバット２内における逆流抵抗によって、徐々にブラインド部12の表面のパルプ繊維を洗い流して消失させ、網目部11のみに細幅テープ状の紙を抄造することができ、
然る後、複数に並列して成形したテープ状の紙体列を円網シリンダ１の上部において当該円網シリンダ１の回転に同期して搬送するクーチロールＣに引き取って、ロールＲに順次巻き取るという技術的手段を採用したことによって、細幅紙テープ製造方法を完成させた。
【００１１】
また、本発明は、パルプ繊維を含有する紙料液Ｓがバット２内に供給され、このバット２内において水平軸の円網シリンダ１が浸水状態で回転自在に枢支されている一方、この円網シリンダ１が紙料液Ｓの流動方向に逆行して回転する逆流型円網抄紙機であって、
前記円網シリンダ１の外周面には周方向の全周に亙り網目部11・11…およびマスキング部12・12…とが所定間隔で交互に形成されている一方、
前記バット２内における円網シリンダ１の下流側がオーバーフロー堰22によって仕切られており、かつ、このオーバーフロー堰22から溢流した紙料液Ｓが回収される排水槽21が配設されており、
バット２の側方部には、前記円網シリンダ１において網目部11・11…を通過した液体が流れる流路23が形成され、この流路23は前記排水槽21に連通しており、流路23の下流縁部には、所定水位以上の水をバット２外にオーバーフローさせる排水堰23ａが設けられ、かつ、この排水堰23ａの開口部を開閉可能な開閉扉23ｂが設けられているとともに、これら流路23と排水槽21との間には、昇降により開閉自在な遮蔽板３が配設されており、
前記バット２の排水槽21の溜水を排出して円網シリンダ１の上流側に送水する循環ポンプ４と、流路23からの水を排出して円網シリンダ１の上流側に送水する押し水ポンプ５とを備えて構成された装置を用いて、
漉き始めとして、円網シリンダ１を回転したままで、遮蔽板３を下降せしめて、前記流路23と排水槽21との間の流水を遮断し、排水堰23ａの開閉扉23ｂを閉めて、循環ポンプ４のみを作動してバット２内に充分な濃度の紙料液Ｓを行き渡らせ、
次いで、バット２内における紙料液Ｓを循環ポンプ４の作動のみで循環せしめることによって、円網シリンダ１を空転させた後、
円網シリンダ１の回転速度を低速にして、遮蔽板３を上昇せしめて、この遮蔽板３の下部に形成される開口部分３Ａにおいて、前記流路23から排水槽21に水を流入させて、かつ、押し水ポンプ５を作動するとともに、排水堰23ａの開閉扉23ｂを開くことによって、円網シリンダ１の内外に水圧差を生じさせ、
バット２内において充満させた紙料液Ｓのパルプ繊維を円網シリンダ１の網目部11の表面全体に瞬時に吸着させて堆積させて、隣り合う網目部11同士が繋がる程度の充分な厚さに抄紙して、円網シリンダ１の表面全体がパルプ繊維で覆い隠されて、マスキング部12表面が相対的に薄い透かし入りのような幅方向に一体になった部分を成形し、
前記一体部分の漉き上がった紙をクーチロールＣにより順次引き取り始める一方、円網シリンダ１の回転速度を上昇させて、バット２内における逆流抵抗によって、徐々にブラインド部12の表面のパルプ繊維を洗い流して消失させ、網目部11のみに細幅テープ状の紙を抄造することができ、
然る後、複数に並列して成形したテープ状の紙体列を円網シリンダ１の上部において当該円網シリンダ１の回転に同期して搬送するクーチロールＣに引き取って、ロールＲに順次巻き取るという技術的手段を採用したことによっても、細幅紙テープ製造方法を完成させた。
【００１２】
また、本発明は、上記課題を解決するために、必要に応じて上記手段に加え、遮蔽板３を下降せしめて、前記流路23と排水槽21との間の流水を遮断して、循環ポンプ４および押し水ポンプ５を停止することによって、バット２内の水圧差を無くして円網シリンダ１を空転させ、網目部11・11…における抄紙を停止させることによって、抄造を一時中断できるようにするという技術的手段を採用することができる。
【００１３】
また、本発明は、上記課題を解決するために、必要に応じて上記手段に加え、円網シリンダ１の内側に真空吸引装置を設けて、この真空吸引装置によって円網シリンダ１の内側の水分を真空吸引することにより、前記紙料液Ｓ中のパルプ繊維を円網シリンダ１の外周面の網目部11・11…に引き寄せるという技術的手段を採用することができる。
【００１４】
更にまた、本発明は、上記課題を解決するために、必要に応じて上記手段に加え、クーチロールＣに引き取られた紙体列を、リード紙Ｌを間に介装しつつロールＲに巻き取るという技術的手段を採用することができる。
【００１５】
また、本発明は、パルプ繊維を含有する紙料液Ｓがバット２内に供給され、このバット２内において水平軸の円網シリンダ１が浸水状態で回転自在に枢支されている一方、この円網シリンダ１が紙料液Ｓの流動方向に逆行して回転する逆流型円網抄紙機であって、
前記円網シリンダ１の外周面には周方向の全周に亙り網目部11・11…およびマスキング部12・12…とが所定間隔で交互に形成されている一方、
前記バット２内における円網シリンダ１の下流側がオーバーフロー堰22によって仕切られており、かつ、このオーバーフロー堰22から溢流した紙料液Ｓが回収される排水槽21が配設されており、
バット２の側方部には、前記円網シリンダ１において網目部11・11…を通過した液体が流れる流路23が形成され、この流路23には、所定水位以上の水をバット２外にオーバーフローさせる排水堰23ａが設けられており、
前記バット２の排水槽21の溜水を排出して円網シリンダ１の上流側に送水する循環ポンプ４と、流路23からの水を排出して円網シリンダ１の上流側に送水する押し水ポンプ５とを備えているように構成するという技術的手段を採用したことによって、細幅紙テープ製造装置を完成させた。
【００１６】
更にまた、本発明は、パルプ繊維を含有する紙料液Ｓがバット２内に供給され、このバット２内において水平軸の円網シリンダ１が浸水状態で回転自在に枢支されている一方、この円網シリンダ１が紙料液Ｓの流動方向に逆行して回転する逆流型円網抄紙機であって、
前記円網シリンダ１の外周面には周方向の全周に亙り網目部11・11…およびマスキング部12・12…とが所定間隔で交互に形成されている一方、
前記バット２内における円網シリンダ１の下流側がオーバーフロー堰22によって仕切られており、かつ、このオーバーフロー堰22から溢流した紙料液Ｓが回収される排水槽21が配設されており、
バット２の側方部には、前記円網シリンダ１において網目部11・11…を通過した液体が流れる流路23が形成され、この流路23は前記排水槽21に連通しており、流路23の下流縁部には、所定水位以上の水をバット２外にオーバーフローさせる排水堰23ａが設けられ、かつ、この排水堰23ａの開口部を開閉可能な開閉扉23ｂが設けられているとともに、これら流路23と排水槽21との間には、昇降により開閉自在な遮蔽板３が配設されており、
前記バット２の排水槽21の溜水を排出して円網シリンダ１の上流側に送水する循環ポンプ４と、流路23からの水を排出して円網シリンダ１の上流側に送水する押し水ポンプ５とを備えているように構成するという技術的手段を採用したことによっても、細幅紙テープ製造装置を完成させた。
【００１７】
また、本発明は、上記課題を解決するために、必要に応じて上記手段に加え、円網シリンダ１が水面上に上がってくる部分に向けて高圧水を注ぐことが可能なシャワー24Ａを設けるという技術的手段を採用することができる。
【００１８】
更にまた、本発明は、上記課題を解決するために、必要に応じて上記手段に加え、遮蔽板３を複数に分割して設けて、それぞれ個別に昇降して開口部分３Ａの面積を増減して通過する流量を調節可能にするという技術的手段を採用することができる。
【発明の効果】
【００１９】
本発明にあっては、円網シリンダの外周面には周方向の全周に亙り網目部およびマスキング部とが所定間隔で交互に形成されている一方、このオーバーフロー堰から溢流した紙料液が回収される排水槽が配設されており、バットの側方部には、前記円網シリンダにおいて網目部を通過した液体が流れる流路が形成され、循環ポンプと押し水ポンプとを備えて構成された装置を用いることによって、網目部に紙料液のパルプ繊維を瞬時に吸着させて堆積させて、隣り合う網目部同士が繋がる程度の充分な厚さに抄紙して、円網シリンダの表面全体をパルプ繊維で覆い隠して、マスキング部表面が相対的に薄い透かし入りのような幅方向に一体になった結合部を成形することができる。
【００２０】
したがって、本発明の製造装置および製造方法によれば、紙テープ始端部に幅方向に一体に連続する結合部を成形することができるので、この結合部から巻き取っていくことによって漉き上がってくる並列した複数の細幅紙テープがばらけないように搬送および巻き取ることができる。
【００２１】
また、本発明では、必要に応じて、遮蔽板の昇降操作と、流路の下流縁部に設けた排水堰の開口部を開閉可能な開閉扉を操作することによって、排水槽内の水位を下降させておくことによって、一時停止する際にバット内から溢れてくる余剰水をこの排水槽の上部の空き部分において許容することができ、抄紙機全体を停止させることなく円網シリンダを空転させ、ロール交換の時間等を作り出すこともできることから、産業上の利用価値は頗る大きいと云える。
【図面の簡単な説明】
【００２２】
【図１】本発明の第１実施形態の細幅紙テープ製造装置を表わす全体斜視図である。
【図２】本発明の第１実施形態の細幅紙テープ製造方法における準備工程を表わす説明側面図である。
【図３】本発明の第１実施形態の細幅紙テープ製造方法における準備工程を表わす説明上面図である。
【図４】本発明の第１実施形態の細幅紙テープ製造方法における抄紙開始直後の成形品を表わす概略図である。
【図５】本発明の第１実施形態の細幅紙テープ製造方法における抄紙時の状態を表わす説明側面図である。
【図６】本発明の第１実施形態の細幅紙テープ製造方法における抄紙時の状態を表わす説明上面図である。
【図７】本発明の第１実施形態の細幅紙テープ製造方法における抄紙引き取り直後を表わす概略図である。
【図８】本発明の第１実施形態の細幅紙テープ製造方法における抄紙開始時の成形品を表わす概略図である。
【図９】本発明の第１実施形態の細幅紙テープ製造方法における通常抄紙時を表わす概略図である。
【図１０】本発明の第１実施形態の細幅紙テープ製造装置を表わす説明側面図である。
【図１１】本発明の第１実施形態の細幅紙テープ製造方法における一時中断工程を表わす説明側面図である。
【図１２】本発明の第１実施形態の細幅紙テープ製造装置の変形例を表わす全体斜視図である。
【図１３】本発明の第２実施形態の細幅紙テープ製造装置を表わす全体斜視図である。
【図１４】本発明の第２実施形態の細幅紙テープ製造方法における準備工程を表わす説明側面図である。
【図１５】本発明の第２実施形態の細幅紙テープ製造方法における準備工程を表わす説明上面図である。
【図１６】本発明の第２実施形態の細幅紙テープ製造方法における抄紙時の状態を表わす説明側面図である。
【図１７】本発明の第２実施形態の細幅紙テープ製造方法における抄紙時の状態を表わす説明上面図である。
【発明を実施するための形態】
【００２３】
本発明を実施するための形態を、具体的に図示した図面に基づいて、更に詳細に説明すると、次のとおりである。
【００２４】
『第１実施形態』
本発明の第１実施形態を図１から図１１に基づいて説明する。図１中、符号１で指示するものは円網シリンダであり、この円網シリンダ１は、円筒状に形成されており、直径が約７０〜１８０ｃｍ程度で、かつ、編目部分が１００メッシュ／インチ以下のものを採用し、編目部分11において紙料液Ｓを通過させることにより紙を漉き上げることができる。
【００２５】
また、符号２で指示するものはバットであり、このバット２は、前記円網シリンダ１を収容するとともに、前記紙料液Ｓを満たすことができる容器である。
【００２６】
更にまた、符号３で指示するものは遮蔽板であり、この遮蔽板３は、上下に昇降自在な板状部材であって、本実施形態では、滑車を介して起立状態に吊支して、電動モータやエア式、油圧式昇降装置などにより昇降することができる。
【００２７】
更にまた、符号４で指示するものは循環ポンプであり、符号５で指示するものは押し水ポンプである。本実施形態では、これら両ポンプ共に少なくとも毎分２０００リットルの送水能力を有するものを採用する。
【００２８】
しかして、本実施形態における細幅紙テープ製造装置を構成するにあっては、まず、パルプ繊維を含有する紙料液Ｓをバット２内に供給可能にするとともに、このバット２内において水平軸の円網シリンダ１を浸水状態で回転自在に枢支する。
【００２９】
本実施形態では、パルプ繊維として、木材パルプを採用可能であるほか、和紙に用いられるコウゾやミツマタ、非木材パルプ、古紙パルプ、物理パルプ、化学パルプなどを採用することができ、また、円網シリンダ１の下側３分の２程度をバット２内に浸水させることができる。
【００３０】
そして、この円網シリンダ１は、紙料液Ｓの流動方向に逆行して回転する所謂「逆流型円網抄紙機」として構成されている。
【００３１】
次いで、円網シリンダ１の外周面には、周方向の全周に亙り網目部11・11…およびマスキング部12・12…とを所定間隔で交互に形成する。網目部11およびマスキング部12の幅は任意に設計できるが、本実施形態では、網目部11を７ｍｍ、マスキング部12を３ｍｍ程度にする。なお、マスキング部12の高さを変えることによって漉き上がる紙厚を増減することができる。
【００３２】
また、前記バット２内における円網シリンダ１の下流側をオーバーフロー堰22によって仕切って、かつ、このオーバーフロー堰22から溢流した紙料液Ｓを回収する排水槽21を配設する。
【００３３】
一方、バット２の両側の側方部には、前記円網シリンダ１において網目部11・11…を通過した液体が流れる流路23をそれぞれ形成して、この流路23は前記排水槽21に連通している。また、流路23の下流縁部には、所定水位以上の水をバット２外にオーバーフローさせる排水堰23ａを設け、かつ、この排水堰23ａの開口部を開閉可能な開閉扉23ｂを設ける。
【００３４】
そして、これら流路23と排水槽21との間には、昇降により開閉自在な遮蔽板３を配設する。
【００３５】
そしてまた、前記バット２の排水槽21の溜水を排出して円網シリンダ１の上流側に送水する循環ポンプ４と、流路23からの水を排出して円網シリンダ１の上流側に送水する押し水ポンプ５とを備えて構成されている。
【００３６】
次に、本実施形態における抄紙方法を以下に説明する。まず、パルプ繊維を含有する紙料液Ｓを作製し、バット２内に供給する。この紙料液Ｓは、パルプ繊維の原材料Ｍと水分とを混合して作製され、排水槽21に供給した後、循環ポンプ４によって円網シリンダ１の上流部に送り込まれる。
【００３７】
＜準備工程＞
漉き始めとして、円網シリンダ１を回転したままで、遮蔽板３を下降せしめて、前記流路23と排水槽21との間の流水を遮断し、排水堰23ａの開閉扉23ｂを閉めて、循環ポンプ４のみを作動してバット２内に充分な濃度の紙料液Ｓを行き渡らせる。この際、排水槽21の水位は下がっており、必要に応じて、この排水槽21内の水位を液面センサー６で随時観測する。
【００３８】
次いで、バット２内における紙料液Ｓを循環ポンプ４の作動のみで循環せしめることによって、円網シリンダ１を無抄紙状態で空転させることができる。即ち、紙料液Ｓがバット２内を定量で循環している時は、バット２内が閉じた系となっており、流路23内には水が溜まったままであり、バット２内における水圧がどの箇所でも一定になるために、網目部11の内外の水圧差が生じず、紙料液Ｓが網目部11を通過しないため繊維パルプが吸着しないのである。この際、排水槽21に順次流入される分の紙料液Ｓは、排水槽21内の水位上昇によって許容される。
【００３９】
また、円網シリンダ１は表面には空転時でも紙料液Ｓのパルプ繊維が付着しやすく、この円網シリンダ１に常に接触しているクーチロールＣに、この付着したパルプ繊維の一部が不要に運搬されてまわないように、円網シリンダ１が水面上に上がってくる部分に向けてシャワー24Ａから高圧水を注いできれいに洗い流すことができる。
【００４０】
＜抄紙工程＞
こうして下準備が完了した後、円網シリンダ１の回転速度を低速にして、図５および図６に示すように、遮蔽板３を上昇せしめて、この遮蔽板３の下部に形成される開口部分３Ａにおいて、前記流路23から排水槽21に水を流入させて、かつ、押し水ポンプ５を作動するとともに、排水堰23ａの開閉扉23ｂを開くことによって、円網シリンダ１の内外に水圧差を生じさせる（水流を生じさせる）。
【００４１】
この際、空転時から抄紙時に切り替わる時に、一気に排水堰23ａの高さまで水位を下げる必要があるため、排水堰23ａの横幅をできるだけ長くして、開閉扉23ｂの開放により素早く大量に排水することができる。
【００４２】
そうすると、バット２内において充満させた紙料液Ｓのパルプ繊維が円網シリンダ１の網目部11の表面全体に瞬時に吸着させて堆積して（図４参照）、隣り合う網目部11同士が繋がる程度の充分な厚さに抄紙され、円網シリンダ１の表面全体がパルプ繊維で覆い隠されて、マスキング部12表面が相対的に薄い透かし入りのような幅方向に一体になった部分（結合部Ｂ）が成形される。
【００４３】
そして、図７に示すように、この一体部分（結合部Ｂ）の漉き上がった紙をクーチロールＣにより順次引き取り始める。また、本実施形態では、結合部ＢがロールＲに到達した時点から円網シリンダ１の回転速度を上昇させる。この際、適宜、シャワー24ＢによりクーチロールＣとの接点後の円網シリンダ１に注水を行って洗浄することもできる。
【００４４】
こうして円網シリンダ１の回転速度を上昇させることによって生じるバット２内における逆流抵抗によって、徐々にブラインド部12の表面のパルプ繊維を洗い流して消失させ（図８参照）、網目部11のみに細幅テープ状の紙を抄造することができる（図９参照）。
【００４５】
この際、押し水ポンプ５の作用により、円網シリンダ１の網目部11を通過した原材料Ｍ（パルプ繊維）を含まない水を、網目部11上において漉き上がってくる紙テープが水面上から出てくる場所へ戻すことができ、循環ポンプ４を介してバット２内に送り込まれる紙料液Ｓの上層にきれいな水の層を形成して紙料水Ｓの浮上を防止するとともに、バット内に逆流の水流を生じさせることができる。
【００４６】
また、この押し水ポンプ５の作動によって、オーバーフロー堰22を超えていく水量をコントロールすることにより、オーバーフロー堰22近傍であっても強い逆流を発生させることができる。そのために、ブラインド部12の表面には洗浄作用が働き、不要なパルプ繊維を残さず洗い去ることができる。
【００４７】
更にまた、抄紙すべき網目部11の表面でも、この網目部11の入水時から出水時まで円網シリンダ１の回転方向とは逆の方向に流れているために、紙の繊維１本１本の分散が良く、１本の繊維がマスキング部をまたいで両方の編目部に付着して繋がるトラブルを防ぎ、紙の繊維方向が縦方向に並んだ強い紙を成形することができる。
【００４８】
更にまた、押し水ポンプ５によって円網シリンダ１の出水場所（水面に近い上流）から、オーバーフロー堰22（低い下流）の入水場所に向かって大量の水を流れ落とすことで、円網シリンダ１の入水場所において原料が高濃度になるのを防止し、流速が無くなって繊維同士が絡み合った状態で抄紙されることを防ぐことができる。
【００４９】
このようにして、紙料液Ｓ中のパルプ繊維を円網シリンダ１の網目部11・11…に沿って吸着せしめることによって抄紙することができ、細幅シート状のウエットパルプや再生紙が得られる。
【００５０】
本実施形態では、通常では、１本１本がばらばらの状態で巻き取りロールのところへ漉き上がってくる多数のテープを巻き取る際に、全て一度に素早く巻き取りロールに巻き付けることが難しくて、手の付けられない状態になってしまうところを、円網シリンダ１の空転をさせて抄速を下げて、排水堰23ａから一気に排水することにより水圧差を生み出して円網シリンダ１の全周に瞬時に繊維パルプを吸着させることにより、マスキング部12の上部を薄く覆った状態（透かし入り）で、幅方向に繋がった結合部Ｂを形成して状態から漉き始めることができるため、この結合部Ｂによりまとめられて容易に複数の並列したすべての紙テープを一度に素早く巻き取りロールに巻き付けることができる。
【００５１】
然る後、複数に並列して成形したテープ状の紙体列を円網シリンダ１の上部において当該円網シリンダ１の回転に同期して搬送するクーチロールＣに引き取って、ロールＲに順次巻き取ることができる（図１０参照）。この際、クーチロールＣに引き取られた紙体列を、リード紙Ｌを間に介装しつつロールＲに巻き取ることができ、このリード紙Ｌにより紙テープの解舒時に無理な力がかからず、また、始端部に結合部Ｂが形成されて櫛歯状に揃えてから巻き取り始められているので、複数に並列する紙テープを同時に同じ速さで解舒することができるため、作業上のトラブルが少なく頗る作業性が良い。
【００５２】
なお、本実施形態では、円網シリンダ１の内側に真空吸引装置を設けて、この真空吸引装置によって円網シリンダ１の内側の水分を真空吸引することにより、前記紙料液Ｓ中のパルプ繊維を円網シリンダ１の外周面の網目部11・11…により良く引き寄せることもできる。この際、真空吸引装置は、円網シリンダ１の略中心部の中心軸に沿って配置することができる。
【００５３】
＜一時中断工程＞
また、本実施形態では、抄紙作業中にロールＲを交換したり、原材料Ｍを追加するなどのために、抄造を一時中断させたい場合には、図１１に示すように、遮蔽板３を下降せしめて、前記流路23と排水槽21との間の流水を遮断して、循環ポンプ４および押し水ポンプ５を停止する。こうすることによって、バット２内の水圧差（水流）が無くなるため、円網シリンダ１を空転させることができ、網目部11・11…における抄紙を停止させることができる。
【００５４】
この際、排水槽11内の水位を下降させておくことによって、一時停止する際にバット２内から溢れてくる余剰水をこの排水槽11の上部の空き部分において許容することができ、抄紙機全体を停止させることなく円網シリンダを空転させ、ロール交換の時間等を作り出すことができる。
【００５５】
そして、円網シリンダ１の空転の間に、排水堰23ａの開閉扉23ｂを閉じるとともに、シャワー24Ｂからシャワー24Ａに注水を切り替えて、ロールＲを交換し、適宜、リード紙Ｌを補充することができる。
【００５６】
再び抄造を開始する際には、前記の抄紙工程に戻り、遮蔽板３を上昇せしめて両ポンプを作動することによって、抄紙を再開することができる。
【００５７】
『第２実施形態』
次に、本発明の第２実施形態を図１３から図１７に基づいて説明する。本実施形態では、図１３に示すように、前記第１実施形態とは、バット２の流路23と排水槽21とが独立しており、かつ、遮蔽板３を具備しない点が異なる。
【００５８】
本実施形態では、まず、図１４および図１５に示すように、前記第１実施形態と同様の＜準備工程＞により、バット２内に紙料液Ｓを循環せしめて、円網シリンダ１を無抄紙状態で空転させる。
【００５９】
次いで、図１６および図１７に示すように、前記第１実施形態と同様の＜抄紙工程＞において、流路23の排水堰23ａから一気に排水することによって、円網シリンダ１の内外に水圧差を生じさせることができる。
【００６０】
本実施形態では、バット２の側方（円網シリンダ１近傍）の流路23に排水堰23ａを設けることによって、バット２内の排水をより迅速に行うことができる。この際、排水堰23ａからの排水手段は適宜開閉扉式の自重排水やポンプ吸引式などにより構成することができる。
【００６１】
また、排水堰23ａの位置は、流路23の底面や流路23から連通する押し水ポンプ５の循環経路内などに設けることもできるし、開閉手段は手動や電動式のものを採用することができる。更に、液面センサー６による排水槽21内の水位観測にリンクさせて電磁的に排水堰23ａを開放させることもできる。
【００６２】
このようにして、空転時から抄紙時に切り替える時に、排水堰23ａからの排水によりバット２内の水位を一気に下げることができ、第１実施形態と同様に、漉き上がった紙に結合部Ｂを成形することができる。
【００６３】
また、本実施形態の＜一時中断工程＞は、循環ポンプ４および押し水ポンプ５を停止して、排水堰23ａからの排水を中止することによって、バット２内の水圧差（水流）を無くして、円網シリンダ１を空転させることができる。なお、排水堰23ａを閉じている場合であっても、非常時の溢水などがないように、その上端からバット２内の所要量を常にオーバーフローさせておくこともできる。
【００６４】
本発明は、概ね上記のように構成されるが、図示の実施形態に限定されるものでは決してなく、「特許請求の範囲」の記載内において種々の変更が可能であって、例えば、図１２に示すように、遮蔽板３を複数（例えば３つ）に分割して設けて、それぞれ個別に昇降して開口部分３Ａの面積を増減して通過する流量を調節可能にして、排水槽11の水位を下位で一定に保つための微調節をし易くすことができる。
【００６５】
また、円網シリンダ１における網目部11およびマスキング部12の幅などの形状は任意に変更することができ、本発明の技術的範囲に属する。
【符号の説明】
【００６６】
１    円網シリンダ
11    網目部
12    マスキング部
２    バット
21    排水槽
22    オーバーフロー堰
23    流路
23ａ  排水堰
23ｂ  開閉扉
24Ａ  シャワー
24Ｂ  シャワー
３    遮蔽板
３Ａ  開口部分
４    循環ポンプ
５    押し水ポンプ
６    液面センサー
Ｓ    紙料液
Ｍ    原材料
Ｂ    結合部
Ｃ    クーチロール
Ｒ    ロール
Ｌ    リード紙
【図１】
0005437405.tif 000002
【図２】
0005437405.tif 000003
【図３】
0005437405.tif 000004
【図４】
0005437405.tif 000005
【図５】
0005437405.tif 000006
【図６】
0005437405.tif 000007
【図７】
0005437405.tif 000008
【図８】
0005437405.tif 000009
【図９】
0005437405.tif 000010
【図１０】
0005437405.tif 000011
【図１１】
0005437405.tif 000012
【図１２】
0005437405.tif 000013
【図１３】
0005437405.tif 000014
【図１４】
0005437405.tif 000015
【図１５】
0005437405.tif 000016
【図１６】
0005437405.tif 000017
【図１７】
0005437405.tif 000018